(57)【要約】【課題】指針を回動させる複数の出力軸同士を近づけて配置することにより、省スペース化が図れかつ意匠性に優れた計器装置を提供する。【解決手段】車両用コンビネーションメータ１は、スピードメータ５とタコメータ６とを有している。これらのメータ５，６の車速表示用目盛５１と、エンジン回転数表示用目盛６１とは、同一円の円周上に並ぶ格好に配されている。また、これらのメータ５，６の指針５２，６２は、錘５６，６６を保持する錘保持部５５３，６５３同士が、出力軸５３，６３の軸方向に沿って互いに間隔をあけて重ねられている。またこの出力軸５３は、前記円の中心に位置付けられているとともに、出力軸６３は前記円の中心の近くに位置付けられている。【選択図】図５
2008008702.tif 000002
【特許請求の範囲】
【請求項１】
移動体の状況を示す表示部を複数有し、これらの表示部が計測量に応じて回転する各計器ユニットの出力軸に取り付けられた各指針によって指示されることにより前記計測量をそれぞれ表示する計器装置において、
前記指針が、前記出力軸に取り付けられかつ前記出力軸が回転する際に回転中心となる基端部と、前記基端部から該基端部の外周方向に向かって延びかつ前記表示部を指示する指示部と、前記基端部から前記指示部と逆向きに延びて錘を保持する錘保持部と、を有するとともに、
これらの複数の指針の前記錘保持部の少なくとも一部が、前記出力軸の軸方向に沿って互いに重ねられたことを特徴とする計器装置。
【請求項２】
前記複数の表示部が、一つの円の円周上に並ぶ格好で配置されたことを特徴とする請求項１に記載の計器装置。
【発明の詳細な説明】
【技術分野】
【０００１】
本発明は、車両、船舶等の移動体に搭載される計器装置に関し、指針によって指示されることによって計測量を表示する表示部を複数有した計器装置に関する。
【背景技術】
【０００２】
車両、船舶などの移動体には、各種の計器ユニットが計測した複数の情報を移動体の運転者に対し表示する計器装置が搭載される。
【０００３】
この種の計器装置として、例えば、図６に示すように、移動体としての車両の速度を表示するスピードメータ１０１と、エンジンの回転数を表示するタコメータ１０２と、燃料の残量を表示するヒューエルゲージ１０３と、エンジンの冷却水の温度を表示するテンパラチャゲージ１０４などを有した車両用コンビネーションメータ１００が一般的に用いられる（特許文献１を参照。）。
【０００４】
前記各メータ１０１，１０２，１０３，１０４は、一つの母材からなる文字板１０５上に配された表示部としての各表示用目盛１０１ａ，１０２ａ，１０３ａ，１０４ａと、これらの表示用目盛１０１ａ，１０２ａ，１０３ａ，１０４ａを指示する各指針１０１ｂ，１０２ｂ，１０３ｂ，１０４ｂと、これら指針１０１ｂ，１０２ｂ，１０３ｂ，１０４ｂを計測量に応じて回転させる各計器ユニットと、によりそれぞれ構成されている。前記計器ユニットは、文字板１０５を貫通して指針１０１ｂ，１０２ｂ，１０３ｂ，１０４ｂを取り付ける出力軸と、文字板１０５の運転者から見て裏側に配される内機とにより構成されている。
【特許文献１】特開２００１−０５９７５１号公報
【発明の開示】
【発明が解決しようとする課題】
【０００５】
上記した車両用コンビネーションメータ１００では、例えばスピードメータ１０１の表示用目盛１０１ａは、指針１０１ｂの前記出力軸に取り付けられた側の端部１０１ｃを中心とした円弧状に配されているが、このスピードメータ１０１の配置スペースのうち、表示用目盛１０１ａと同一円の円周上でかつ指針１０１ｂが指示しない不回動部分Ｎがデッドスペースとなっていた。
【０００６】
上記のようなデッドスペースを利用し効率的なレイアウトを行うために、または、斬新さなどの意匠的な見映えのために、例えば、スピードメータ１０１の不回動部分Ｎにタコメータ１０２を配置する事が考えられる。しかしながら、２種類のメータ１０１，１０２を単純に近づけて配置しただけでは、見映えが悪いだけでなく、運転者にとっての視認性も低くなってしまう。
【０００７】
そこで、上記見映えや視認性を考慮して、スピードメータ１０１の不回動部分Ｎに、表示用目盛１０１ａと同一円の円周上に並ぶようにタコメータ１０２の表示用目盛１０２ａを配設することが考えられる。しかしながら、これらの各指針１０１ｂ，１０２ｂは、前記出力軸に取り付けられた側の端部１０１ｃ，１０２ｃに指針１０１ｂ，１０２ｂの重心位置を調整する錘を取り付けるスペースが必要であることから、前記出力軸同士を近づけて配置することが非常に困難であった。このため、メータ１０１，１０２の前記出力軸を、円弧状に配された表示用目盛１０１ａ，１０２ａの中心または中心寄りの位置に配置することができなかった。なお、前記中心からずれた位置に出力軸が配されたメータは意匠的に違和感のあるものとなってしまう。
【０００８】
従って、本発明は、指針を回動させる複数の出力軸同士を近づけて配置することにより、省スペース化が図れかつ意匠性に優れた計器装置を提供することを目的とする。
【課題を解決するための手段】
【０００９】
上述した目的を達成するために、請求項１に記載された発明は、移動体の状況を示す表示部を複数有し、これらの表示部が計測量に応じて回転する各計器ユニットの出力軸に取り付けられた各指針によって指示されることにより前記計測量をそれぞれ表示する計器装置において、前記指針が、前記出力軸に取り付けられかつ前記出力軸が回転する際に回転中心となる基端部と、前記基端部から該基端部の外周方向に向かって延びかつ前記表示部を指示する指示部と、前記基端部から前記指示部と逆向きに延びて錘を保持する錘保持部と、を有するとともに、これらの複数の指針の前記錘保持部の少なくとも一部が、前記出力軸の軸方向に沿って互いに重ねられたことを特徴とする計器装置である。
【００１０】
請求項２に記載された発明は、請求項１に記載された発明において、前記複数の表示部が、一つの円の円周上に並ぶ格好で配置されたことを特徴とするものである。
【発明の効果】
【００１１】
請求項１に記載された発明によれば、複数の指針の錘保持部の少なくとも一部を出力軸の軸方向に沿って互いに重ねたことにより、これら指針の出力軸同士を近づけて配置することができ、そのために、省スペース化を図ることが可能な計器装置を提供することができる。
【００１２】
請求項２に記載された発明によれば、複数の表示部を一つの円の円周上に並ぶ格好で配置することにより、見映え・斬新さ等の意匠性を向上させることができる。また、それぞれの出力軸同士を近づけて配置することができることから、このように複数の表示部を一つの円の円周上に並べた場合でも、それぞれの出力軸を円弧状に並べられた表示部の中心または中心寄りの位置に配置することができる。よって、複数の指針があたかも同軸にて回動しているように表現することが可能な計器装置を提供することができる。
【発明を実施するための最良の形態】
【００１３】
以下、本発明の一実施形態に係る計器装置を図１ないし図５を参照して説明する。本発明の一実施形態に掛かる計器装置としての車両用コンビネーションメータ１は、車両などの移動体に搭載されて、この移動体の運転者に対し各種の情報を表示する装置である。
【００１４】
上記車両用コンビネーションメータ１は、図１及び図２に示すように、ケーシング２と、文字板３と、プリント基板４と、スピードメータ５，タコメータ６などの複数の表示計器と、前記表示計器等の表示部分以外を乗員に対して遮蔽する見返し板と、ケーシング２に取り付けられて車両用コンビネーションメータ１内へ埃等を侵入することを防止する透明カバー７と、照明ユニット８と、を有している。
【００１５】
上記ケーシング２は、移動体の運転者に対し相対する開口部２ａを有する箱状に形成されている。ケーシング２内には、上記照明ユニット８と、後述するムーブメント５０，６０と、などが収容される。また、ケーシング２の図中右側に位置する奥側には、上記プリント基板４が取り付けられる。このプリント基板４は、可撓性を有するフレキシブル基板となっており、照明ユニット８の動作などを制御するためのマイコンなどの電子部品が実装されている。
【００１６】
上記文字板３は、上記ケーシング２の開口部２ａを覆う格好でケーシング２に取り付けられる。文字板３は、上述したプリント基板４よりも乗員室側に配されている。文字板３は、導光材料からなる基板の運転者に相対する表面に表示部としての車速表示用目盛５１や、エンジン回転数表示用目盛６１や文字などが印刷されて形成されており、背面側から照射された照明ユニット８の光が遮光印刷部分以外の箇所を透過するようになっている。
【００１７】
上記表示計器は、車両の速度を表示するための上記スピードメータ５と、エンジンの回転数を表示するための上記タコメータ６と、燃料の残量を表示するための図示しないヒューエルゲージと、エンジンの冷却水の温度を表示する図示しないテンパラチャゲージとを有している。
【００１８】
上記スピードメータ５及びタコメータ６は、それぞれ、計器ユニットとしてのムーブメント５０，６０と、指針５２，６２と、上述した目盛５１，６１等によって構成されている。
【００１９】
上記ムーブメント５０，６０は、上述したプリント基板４に取り付けられるとともに、それぞれ、車両に搭載された図示しない車速検出手段、エンジン回転数検出手段からの信号により駆動される。また、ムーブメント５０，６０は、それぞれ、これらの検出手段が検出した計測量等に応じて回転する出力軸５３，６３を有している。
【００２０】
図１ないし図５に示す上記指針５２，６２は、各計測手段が計測した計測量に応じて、ムーブメント５０，６０によって回動されて、文字板３に付された目盛５１，６１などと協働して計測量を表示する。
【００２１】
上記指針５２，６２は、図５などに示すように、アクリル樹脂等の透光性を有する導光材料などから形成された指針本体５４，６４と、この指針本体５４，６４を覆う非透過性の合成樹脂からなるカバー部材５５，６５と、錘５６，６６と、を有している。
【００２２】
上記指針本体５４，６４は、ムーブメント５０，６０の出力軸５３，６３近傍に位置付けられる受光部５４ａ，６４ａと、受光部５４ａ，６４ａから該受光部５４ａ，６４ａの外周方向に向かって先細状に延びた指示部５４ｂ，６４ｂと、を一体に有している。
【００２３】
上記受光部５４ａ，６４ａは、図４に示すように平面形状が扇状に形成されかつ後述の指針用導光部８０ａを介して後述のＬＥＤ８１，８２，８３から入射した光を受光する受光面５４１，６４１と、受光面５４１，６４１で受光した光を上記指示部５４ｂ，６４ｂの先端方向に向かって反射する反射面５４２，６４２と、を有している。受光面５４１，６４１は、受光部５４ａ，６４ａの指針用導光部８０ａと相対する位置に配されている。また、反射面５４２，６４２は、受光部５４ａ，６４ａの文字板３に相対する位置に配されており、文字板３に近づくのにしたがって徐々に出力軸５３，６３に近づく方向にそれぞれ傾いて形成されている。
【００２４】
上記カバー部材５５，６５は、指針本体５４，６４の受光部５４ａ，６４ａを上記出力軸５３，６３と一体に回転するように支持する下面部材５５ａ，６５ａと、指針本体５４，６４を覆うとともに内側に下面部材５５ａ，６５ａが嵌合する上面部材５５ｂ，６５ｂなどを有している。
【００２５】
下面部材５５ａ，６５ａは、円盤状の円盤部５７ａ，６７ａと、嵌入管部５７ｂ，６７ｂなどを有している。円盤部５７ａ，６７ａには、指針本体５４，６４の受光部５４ａ，６４ａが嵌め込まれる孔部５８，６８が形成されている。また、嵌入管部５７ｂ，６７ｂは、管状に形成されているとともに、円盤部５７ａ，６７ａから文字板３側に向かって延びて形成されている。この嵌入管部５７ｂ，６７ｂには、出力軸５３，６３がそれぞれ嵌入するようになっている。嵌入管部５７ｂ，６７ｂは、指針５２，６２の回転中心をなすとともに、特許請求の範囲に記載した「基端部」をなしている。
【００２６】
上面部材５５ｂ，６５ｂは、指示部５４ｂ，６４ｂを覆うとともに指示部５４ｂ，６４ｂの外形に沿う形状に形成された角錐部５５１，６５１と、角錐部５５１，６５１の出力軸５３，６３寄りの端部に連なった円盤部５５２，６５２と、により構成されている。また、円盤部５５２，６５２は、上記下面部材５５ａ，６５ａの円盤部５７ａ，６７ａと相対する位置に配された略円形の上壁５５２ａ，６５２ａと、上壁５５２ａ，６５２ａから立設した筒状の周壁５５２ｂ，６５２ｂと、により構成されているとともに、この周壁５５２ｂ，６５２ｂの内側に下面部材５５ａ，６５ａの円盤部５７ａ，６７ａが嵌合される。
【００２７】
また、上記角錐部５５１，６５１の運転者と相対する面には、スリット５９，６９が形成されている。そして、指示部５４ｂ，６４ｂ内に入射した後述のＬＥＤ８１，８２，８３の光が、このスリット５９，６９から運転者側に出射されることにより、運転者に指針５２，６２を視認させることができる。
【００２８】
さらに、上記円盤部５５２，６５２には、錘保持部５５３，６５３が形成されている。錘保持部５５３，６５３は、上面部材５５ｂ，６５ｂと下面部材５５ａ，６５ａが嵌合されかつこれらの間に指針本体５４，６４が挟まれた状態において、指針本体５４，６４の受光部５４ａ，６４ａが嵌め込まれる孔部５８，６８よりも嵌入管部５７ｂ，６７ｂから離れた側に配されている。即ち、錘保持部５５３，６５３は、円盤部５５２，６５２のうち、嵌入管部５７ｂ，６７ｂから指示部５４ｂ，６４ｂと逆向きに延びた位置に配されている。このような錘保持部５５３，６５３は、下面部材５５ａ，６５ａの円盤部５７ａ，６７ａとの間に錘５６，６６を保持する。このような構成により、錘５６，６６と嵌入管部５７ｂ，６７ｂの外方向に突出する指示部５４ｂ，６４ｂとのバランスがとられて、指針５２，６２の長手方向の重心位置が調整される。
【００２９】
上記構成の指針５２，６２をそれぞれ有したスピードメータ５及びタコメータ６は、図５に示すように、上記錘保持部５５３，６５３同士が、出力軸５３，６３の軸方向に沿って互いに重ねられた状態で配されている。また、錘保持部５５３，６５３同士は互いに間隔をあけて重ねられており、指針５２，６２が回動してもこれら指針５２，６２が互いに接触しないように配されている。
【００３０】
さらに、このスピードメータ５及びタコメータ６は、図１に示すように、車速表示用目盛５１とエンジン回転数表示用目盛６１とが、一つの円の円周上に並ぶ格好で配置されている。また、上記スピードメータ５の指針５２はその回転中心即ち嵌入管部５７ｂが前記円の中心に位置付けられるように配されているとともに、タコメータ６の指針６２はその回転中心即ち嵌入管部６７ｂが前記円の中心に近い位置に位置付けられるように配されている。このため、運転者からは、これら指針５２，６２があたかも同軸にて回動しているように視認される。
【００３１】
このように本発明では、錘保持部５５３，６５３同士を出力軸５３，６３の軸方向に沿って互いに重ねた状態で配しているので、出力軸５３，６３同士を互いに近づけて配置することが可能である。
【００３２】
上記照明ユニット８は、上述したプリント基板４の乗員室側の面に取り付けられたＬＥＤ（light-emitting diode）８１，８２，８３と、これらＬＥＤ８１，８２，８３と文字板３との間に配された導光板８０と、を有している。この導光板８０は、円柱状に形成された指針用導光部８０ａと、該指針用導光部８０ａの外周面に形成された文字板用導光部８０ｂと、を有している。この指針用導光部８０ａは、ＬＥＤ８１，８２，８３から出射された光を指針５２，６２の受光面５４１，６４１に向かって導いて、これら指針５２，６２をそれぞれ光輝させる。また、指針用導光部８０ａには、上述した出力軸５３，６３を文字板３の前面に通すための貫通孔が設けられている。また、この文字板用導光部８０ｂは、ＬＥＤ８１，８２，８３から出射された光を文字板３の各目盛５ａ，６ａまで導いて、これらの目盛５ａ，６ａをそれぞれ光輝させる。
【００３３】
本実施形態によれば、スピードメータ５の車速表示用目盛５１とタコメータ６のエンジン回転数表示用目盛６１とを一つの円の円周上に並ぶ格好で配置するとともに、錘保持部５５３，６５３同士を重ねることで出力軸５３，６３同士を近づけてこれらメータ５，６の指針５２，６２同士があたかも同軸にて回動しているように見せているので、見映え・斬新さ等の意匠性を向上させることができる。また、スピードメータ５の指針５２の不回動部分にタコメータ６を配置することにより、文字板３の省スペース化を図ることができる。
【００３４】
また、上述した実施形態では、車速表示用目盛５１とエンジン回転数表示用目盛６１とを一つの円の円周上に並ぶ格好で配置していたが、本発明ではこれ以外の表示部同士を組み合わせて用いても良く、３種類の表示計器の表示部同士を組み合わせても良い。また、本発明では、複数の表示部を必ずしも一つの円の円周上に並ぶ格好で配置しなくても良い。例えば、上記したスピードメータ５の指針５２の不回動部分に、車速表示用目盛５１と半径・曲率の異なる他の表示計器の表示部を配置しても良い。即ち、本発明の計器装置は、複数の表示計器の指針の錘保持部同士を出力軸の軸方向に沿って互いに重ねた構成を有しているものであれば如何なるものであっても良い。さらに、錘保持部同士は、少なくとも一部が出力軸の軸方向に沿って重ねられていれば良い。
【００３５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３６】
【図１】本発明の一実施形態に係る車両用コンビネーションメータを示す平面図である。
【図２】図１中のＡ−Ａ線に沿った断面図である。
【図３】図１に示された車両用コンビネーションメータのスピードメータ及びタコメータの指針を示す斜視図である。
【図４】図３に示されたスピードメータ及びタコメータの指針を図３中の矢印Ｂ方向から見た平面図である。
【図５】図２に示された車両用コンビネーションメータの要部を拡大して示した断面図である。
【図６】従来の車両用コンビネーションメータを示す平面図である。
【符号の説明】
【００３７】
１  車両用コンビネーションメータ（計器装置）
５０，６０  ムーブメント（計器ユニット）
５１  車速表示用目盛（表示部）
５２，６２  指針
５３，６３  出力軸
５４ｂ，６４ｂ  指示部
５６，６６  錘
５７ｂ，６７ｂ  嵌入管部（基端部）
６１  エンジン回転数表示用目盛（表示部）
５５３，６５３  錘保持部
【図１】
2008008702.tif 000003
【図２】
2008008702.tif 000004
【図３】
2008008702.tif 000005
【図４】
2008008702.tif 000006
【図５】
2008008702.tif 000007
【図６】
2008008702.tif 000008